(57)【要約】      （修正有）【課題】粘着性に富んだ粘着具により、必要時に迅速に取り出す事のできる、衣服の一時的なほつれ止めやゴミを取る事を特徴としたポケット付き携帯用粘着ゴミ取り及び簡易ほつれ止め具を提供する。【解決手段】二つから三つ折り状の名刺大ほどの台紙において二つ折りの場合、外側の片面の一部の領域にポケット部を設け、同じ外側の他面に留め部を設ける。三つ折の場合、外側の片面に留め部を設け、内面片面にポケット部を設け、二つ折り、三つ折りとも本体内側の両面全域又は部分をラミネート加工または剥離加工を施した上で、付箋型小片粘着具７、付箋型幅広粘着具複数枚８を各々ずらして重ねる形で一列又は複数列に配列する。【選択図】図５
0003186702.tif 000002
【実用新案登録請求の範囲】
【請求項１】
二つから三つ折り状の名刺大ほどの台紙において二つ折りの場合、外側の片面（以下Ａ面とよぶ）の一部の領域にポケット部を設け、同じ外側の他面に（以下Ｂ面とよぶ）留め部を設け、内側の両面全域及び部分（以下Ｃ面、以下Ｄ面とよぶ）をラミネート加工または剥離加工を施した上で、付箋型小片粘着具、付箋型幅広粘着具複数枚を各々ずらして重ねる形で一列又は複数列に配列した事を特徴とするポケット付き携帯用粘着ゴミ取り及び簡易ほつれ止め具。
【請求項２】
三つ折の場合、外側の片面（以下Ｅ面とよぶ）に留め部を設け、Ｅ面の内面（以下Ｈ面とよぶ）全域にポケット部を設け、内側の両面全域及び部分（以下Ｉ面、Ｊ面とよぶ）をラミネート加工または剥離加工を施した上で、付箋型小片粘着具、付箋型幅広粘着具複数枚を各々ずらして重ねる形で一列又は複数列に配列した事を特徴とするポケット付き携帯用粘着ゴミ取り及び簡易ほつれ止め具。
【考案の詳細な説明】
【技術分野】
【０００１】  本考案は、衣服等に付着したゴミや毛髪、動物の抜け毛等を粘着性のある素材で取り除き、スカートやズボン等の裾のほつれに対しての応急処置としても使用可能なポケット付き携帯用粘着ゴミ取り及び簡易ほつれ止め具。
【背景技術】
【０００２】  従来、ポケット付き携帯用粘着ゴミ取り具があった。（特許文献１参照）、（特許文献２参照）。
【特許文献１】登録実用新案第３１７２４６８号
【特許文献２】登録実用新案第３０８３３６２号
【考案の概要】
【考案が解決しようとする課題】
【０００３】  そのために、次のような問題点があった。
（イ）複数枚の同形の粘着紙を積層させ、そのつど一枚ずつ使用し、使用後は切り取って処分がなされているようであるが、積層部分に厚みがでてしまうため、携帯用としてバックや財布、定期券等のカードケースへの収納には、できるだけ薄い方が理想的である。
（ロ）衣類等に付着したペットの抜け毛や一、二本程度の髪の毛を取りたい場合や小さなゴミ等をちょっとだけ取りたい場合、粘着紙全面を使用するのは不経済であり、ゴミや髪の毛を付着させたままでの数回の使用は、衛生面や気分的にも不快である。
（ハ）スカートやズボン等の裾のほつれの応急処置として使用する場合、粘着面全面を裾あげとして布地に貼るのでは、粘着面が大きすぎる為、布地の引きつれが起きたり、ごわごわして動きにくかったりする事が心配される。
適度な大きさに切っての使用なら問題ないだろうが、はさみやカッターナイフを常時携帯していることは考えにくく、理想的な大きさに手で引き千切るには技術的に難しく、スカートの裾がめくれて貼った状態が見えてしまった場合、引き千切った箇所のギザギザが見えたとしたら見栄えのいいものではない。
（二）ゴミ箱が見当たらない出先等で、使用済みの粘着具を捨てる場合、一時的な簡易ごみ入れとしてポケットが付いていると便利ではあるが、使用済みの粘着面を中表にぴったりと合わせ、折り畳んで収納させる事により、少ない面積でも収納可能なため、ポケット部のスペースを本体のほぼ全面の大きさに費やすような手を差し込める程の大きさは必要ないものと思われる。
テロへの警戒や防災に対する対策としてゴミ箱の撤去がなされてきたが、以前と比べて最近は公共の場でもゴミ箱の設置が回復されたようである。ゴミは家まで持って帰るのが理想的だが、それが難しい場合は、畳んでも切符程度の大きさにしかならないので、出先でそのつどゴミ箱に捨てたと仮定して、広いスペースのポケットは必要ないものと思われる。
［特許文献２］は衣服等に付着したゴミを取るために手袋のように、ポケット部に指先を挿入して手に保持させるための保持部として設けてあり、又ポケット部に名刺や宣伝用の媒体等を入れての使用が主な目的のようであり、ゴミ入れとしては適性ではない。
本発明は、これらの問題点を解決するためになされたものである。
【課題を解決するための手段】
【０００４】  二つから三つ折り状の名刺大ほどの台紙において二つ折りの場合、外側の片面（以下Ａ面とよぶ）の一部の領域にポケット部を設け、同じ外側の他面に（以下Ｂ面とよぶ）留め部を設け、内側の両面全域及び部分（以下Ｃ面、以下Ｄ面とよぶ）をラミネート加工または剥離加工を施した上で、付箋型小片粘着具、付箋型幅広粘着具複数枚を各々ずらして重ねる形で一列又は複数列に配列する。
三つ折の場合、外側の片面（以下Ｅ面とよぶ）に留め部を設け、Ｅ面の内面（以下Ｈ面とよぶ）全域にポケット部を設け、内側の両面全域及び部分（以下Ｉ面、Ｊ面とよぶ）をラミネート加工または剥離加工を施した上で、付箋型小片粘着具、付箋型幅広粘着具複数枚を各々ずらして重ねる形で一列又は複数列に配列した事を特徴とするポケット付き携帯用粘着ゴミ取り及び簡易ほつれ止め具。
【考案の効果】
【０００５】  本考案は、粘着具が個々に分かれて収納され、一部が非粘着部分を要するため、爪で粘着具の取り出し口を起こしたり、剥離口を探したりする事なく、必要時にはサッとはがして使用でき、本体の大きさを二つ折り又は三つ折りにして、名刺やキャッシュカードやポイントカードのような大きさにした場合、粘着部が積層されていないためバック、定期入れや財布等の中に入れても厚さが邪魔にならず、常時の携帯が可能である。
また、ゴミ取りとして使用するだけではなく、スカートやズボン等のほつれに対する一時的な応急処置としても使用可能である。
その場合、各々の粘着具が適度な大きさの為、ほつれた要所要所に貼り付けることにより、布地にあそびができ、布地のひきつれが目立つこともなく、針や糸を使わずに処置できるため、縫い物が不慣れな子供や針に糸を通す事が困難な視力の低下した高齢者が使用するには最適である。
あくまでも応急処置としての対処であるので、早急にきちんと繕う事が必要だが、それまでの間布地を接着保持するのに適した強度な粘着力が必要である。
二つ折り及び三つ折とも本体に収納した粘着具を使い切った場合、スペア部を設けることにより再利用が可能である。
ある程度強力な粘着力を持つテープであれば市販の粘着テープをスペアとして補充でき、破損しない限り半永久的に使用可能な製品である。
ポケットは、ゴミとなった粘着具を一時的に入れる為のものだが、切符や切手等の小物を収納する事もできる。
本考案は本体が軽量で安価に作成でき、表面に宣伝用の印刷をしたり、ポケット部に宣伝媒体を挿入する事により、販促用の頒布品としても使用できる。
本考案は粘着具を可愛いキャラクターや動物、野菜、果物、植物等のイラストを工夫し作成する事により、年齢を問わず、子供から大人まで幅広く使用可能である。
【図面の簡単な説明】
【０００６】
【図１】本考案の三つ折り用スペア部斜視図
【図２】本考案の三つ折り本体中面斜視図
【図３】本考案の三つ折り状本体斜視図
【図４】本考案の二つ折り斜視図
【図５】本考案の二つ折り内側粘着具収納例斜視図
【図６】本考案の二つ折り表面ポケット部を示す平面図
【考案を実施するための形態】
【０００７】  以下、本考案の二つ折りの場合の実施形態について説明する。
（イ）本体の外側Ａ面（１）Ｂ面（２）のどちらか片面にポケット部（５）を設ける。
（ロ）本体の内側Ｃ面（３）Ｄ面（４）に剥離部（６）を設ける。
（ハ）本体の内側Ｃ面（３）の剥離部（６）に付箋型小片粘着具（７）を複数枚各々ずらして重ねて収納する。
（ニ）本体の内側Ｄ面の剥離部（６）に付箋型幅広粘着具（８）を複数枚各々ずらして重ねて収納する。
付箋型小片粘着具（７）、付箋型幅広粘着具（８）は取り出しやすいように一部分非粘着とする。
（ホ）本体の適所に留め具（９）を設ける。
本案は以上のような構成で、これを使用するときは、本体内側Ｃ面（３）、Ｄ面（４）の剥離部（６）に、付箋型小片粘着具（７）、付箋型幅広粘着具（８）をずらして収納し、使わないときは本体を二つ折りにし、面テープやボタン、スナップあるいは紐、ゴムなどの留め具（９）で留め、使用済みの付箋型小片粘着具（７）、付箋型幅広粘着具（８）はポケット部（５）に一時的に収納する。
収納した付箋型小片粘着具（７）、付箋型幅広粘着具（８）を使い切った場合は補充用としてスペア部（１６）をセットする。
以下、本考案の三つ折りの場合の実施形態について説明する。
（イ）本体の外側Ｅ面（１０）留め部（９）を設ける。
（ロ）本体の内側Ｈ面（１３）にポケット部（５）を設ける。
（ハ）本体の内側Ｉ面（１４）、Ｊ面（１５）に剥離部（６）を設ける。
（ニ）本体の内側Ｉ面（１４）またはＪ面（１５）の剥離部（６）に付箋型小片粘着具（７）を複数枚各々ずらして重ねて収納する。
（ホ）本体の内側Ｉ面（１４）またはＪ面（１５）の剥離部（６）に付箋型幅広粘着具（８）を複数枚各々ずらして重ねて収納する。
付箋型小片粘着具（７）、付箋型幅広粘着具（８）は取り出しやすいように一部分非粘着とする。
（ヘ）本体の適所に留め具（９）を設ける。
（ト）使いきった場合補充できるようにスペア部（１６）を設ける。
本孝案は以上のような構成で、これを使用するときは、本体内側Ｉ面（１４）、Ｊ面（１５）の剥離部（６）に、付箋型小片粘着具（７）、付箋型幅広粘着具（８）をずらして収納し、使わないときは本体を三つ折りにし、面テープやボタン、スナップあるいは紐、ゴムなどの留め具（９）で留め、使用済みの付箋型小片粘着具（７）、付箋型幅広粘着具（８）はポケット部（５）に一時的に収納する。Ｉ面（１４）、Ｊ面（１５）に収納した付箋型小片粘着具（７）、付箋型幅広粘着具（８）を使い切った場合は補充用としてスペア部（１６）をセットする。
【符号の説明】
【０００８】１  二つ折り本体外側Ａ面
２  二つ折り本体外側Ｂ面
３  二つ折り本体内側Ｃ面
４  二つ折り本体内側Ｄ面
５  ポケット部
６  剥離部
７  付箋型小片粘着具
８  付箋型幅広粘着具
９  留め部
１０三つ折り本体外側Ｅ面
１１三つ折り本体外側Ｆ面
１２三つ折り本体外側Ｇ面
１３三つ折り本体内側Ｈ面
１４三つ折り本体内側Ｉ面
１５三つ折り本体内側Ｊ面
１６スペア部
【図１】
0003186702.tif 000003
【図２】
0003186702.tif 000004
【図３】
0003186702.tif 000005
【図４】
0003186702.tif 000006
【図５】
0003186702.tif 000007
【図６】
0003186702.tif 000008
【手続補正書】
【提出日】平成25年7月20日(2013.7.20)
【手続補正１】
【補正対象書類名】実用新案登録請求の範囲
【補正対象項目名】請求項２
【補正方法】変更
【補正の内容】
【請求項２】
三つ折の場合、外側の片面（以下Ｅ面とよぶ）に留め部を設け、Ｅ面の内面（以下Ｈ面とよぶ）全域にポケット部を設け、内側の内面全域及び部分（以下Ｉ面、Ｊ面とよぶ）をラミネート加工または剥離加工を施した上で、付箋型小片粘着具、付箋型幅広粘着具複数枚を各々ずらして重ねる形で一列又は複数列に配列した事を特徴とする請求項１に記載のポケット付き携帯用粘着ゴミ取り及び簡易ほつれ止め具。